(57)【要約】【課題】クロッチ域を構成するクロッチパネルによって、前後ウエスト域を構成する前後ウエストパネルの通気性が低下するのを抑制することができる使い捨て着用物品の提供。【解決手段】使い捨ておむつ１は、前後ウエスト域１２，１３を画定する弾性の前後ウエストパネル２０，３０と、クロッチ域１４を画定し前後ウエストパネル２０，３０の肌対向面側に取り付けられたクロッチパネル４０と、クロッチパネル４０の内側に配置され縦方向Ｙへ延びる吸収体５０とを含む。クロッチパネル４０の縦方向Ｙにおける寸法Ｌ１は、吸収体５０の寸法Ｌ２よりも小さく、吸収体５０の前後端縁部５０Ａ，５０Ｂは、クロッチパネル４０の前後端縁部４０Ａ，４０Ｂよりも縦方向Ｙ外側に位置する。クロッチパネル４０の横方向Ｘにおける寸法Ｗ１は、吸収体５０の寸法Ｗ２よりも大きく、クロッチパネル４０の両側縁部４０Ｃは、吸収体５０の両側縁部５０Ｃよりも横方向Ｘ外側に延出する。【選択図】図２
2014004258.tif 000002
【特許請求の範囲】
【請求項１】
縦方向およびそれに直交する横方向を有し、肌対向面およびその反対側に位置する非肌対向面と、前後ウエスト域を画定する前後ウエストパネルと、前記前後ウエスト域の間に位置するクロッチ域を画定するクロッチパネルと、少なくとも前記クロッチパネルの前記肌対向面に配置され前記縦方向へ延びる吸収体とを含む使い捨て着用物品において、
前記クロッチパネルは、前記横方向へ延びる前後端縁部と、前記縦方向へ延びる両側縁部とを有し、前記前後端縁部が、前記前後ウエストパネルの前記肌対向面にそれぞれ接合され、
前記クロッチパネルの前記縦方向における寸法は、前記吸収体の前記縦方向における寸法よりも小さいことを特徴とする前記使い捨て着用物品。
【請求項２】
前記クロッチパネルは、前記横方向における寸法が、前記吸収体の前記横方向における寸法よりも大きく、前記クロッチパネルの前記両側縁部が前記吸収体の横方向外側にそれぞれ延出する請求項１記載の使い捨て着用物品。
【請求項３】
前記前後ウエストパネルは、前記横方向へ延びる第１および第２弾性体が伸長下で収縮可能に取り付けられた外側領域と、前記横方向へ延びる第３および第４弾性体が伸長下で伸縮可能に取り付けられた内側領域と、前記内側領域と前記外側領域との間に位置する中間領域とをそれぞれ有し、
前記クロッチパネルの前記前後端縁部は、前記前後ウエストパネルの前記内側領域にそれぞれ重なって接合される請求項１または２記載の使い捨て着用物品。
【請求項４】
前記クロッチパネルは、前記横方向中央に位置するベースシートと、前記ベースシートの両側に位置し前記吸収体の前記横方向外側へ延出するレッグ弾性化シートとを有する請求項１〜３のいずれかに記載の使い捨て着用物品。
【請求項５】
前記レッグ弾性化シートには、前記縦方向へ延びる弾性体が伸長下で収縮可能に取り付けられる請求項４記載の使い捨て着用物品。
【請求項６】
前記吸収体は、前記横方向へ延びる前後端縁部および前記縦方向へ延びる両側縁部を有する吸収性コアと、前記吸収性コアの吸収面に配置された身体側ライナとを含み、
前記吸収性コアは、その前記後端縁部が、前記クロッチパネルの前記後端縁部よりも前記縦方向内側に位置する請求項１〜５のいずれかに記載の使い捨て着用物品。
【請求項７】
前記吸収性コアは、その前記前端縁部が、前記クロッチパネルの前記前端縁部よりも前記縦方向外側に位置する請求項１〜６のいずれかに記載の使い捨て着用物品。
【請求項８】
前記前後ウエストパネルの前記中間領域であって、その前記肌対向面には、弾性繊維不織布によって形成された内層シートがそれぞれ配置される請求項３〜７のいずれかに記載の使い捨て着用物品。
【発明の詳細な説明】
【技術分野】
【０００１】
本発明は、使い捨て着用物品に関し、より詳しくは、クロッチパネルを前後ウエストパネルの内側に接合したパンツ型の使い捨ておむつ、使い捨てのトイレット・トレーニングパンツ、使い捨て失禁パンツ等の使い捨て着用物品に関する。
【背景技術】
【０００２】
従来、クロッチパネルを前後ウエストパネルに接合した使い捨て着用物品は公知である。例えば、特許文献１には、クロッチ域を構成する吸収性本体の前後端領域を、前後ウエスト域を構成する環状弾性ベルトに接合したプルオンおむつが開示される。
【先行技術文献】
【特許文献】
【０００３】
【特許文献１】特開２００８−５０８０８２号公報（ＪＰ２００８−５０８０８２Ａ）
【発明の概要】
【発明が解決しようとする課題】
【０００４】
特許文献１に開示された使い捨て着用物品によれば、吸収性本体は、液体透過性トップシートと、液体不透過性バックシートと、それらの間に配置された吸収性コアと、縦方向側縁部に沿って配置されたバリアレッグカフとを含み、これら各要素の縦方向における寸法は全て等しく、それらの前後領域が環状弾性ベルトにそれぞれ重なって接合される。環状弾性ベルトにおいて、吸収性本体が重なった領域では、通気性が低下し、蒸れやかぶれを誘発する可能性がある。
【０００５】
本発明の目的は、従来の使い捨て着用物品の改良にあり、クロッチ域を構成するクロッチパネルによって、前後ウエスト域を構成する前後ウエストパネルの通気性が低下するのを抑制することができる使い捨て着用物品の提供にある。
【課題を解決するための手段】
【０００６】
本発明は、縦方向およびそれに直交する横方向を有し、肌対向面およびその反対側に位置する非肌対向面と、前後ウエスト域を画定する前後ウエストパネルと、前記前後ウエスト域の間に位置するクロッチ域を画定するクロッチパネルと、少なくとも前記クロッチパネルの前記肌対向面に配置され前記縦方向へ延びる吸収体とを含む使い捨て着用物品に関する。
【０００７】
本発明に係る使い捨て着用物品は、前記クロッチパネルは、前記横方向へ延びる前後端縁部と、前記縦方向へ延びる両側縁部とを有し、前記前後端縁部が、前記前後ウエストパネルの前記肌対向面にそれぞれ接合され、前記クロッチパネルの前記縦方向における寸法は、前記吸収体の前記縦方向における寸法よりも小さく、前記吸収体の前後端縁部が前記クロッチパネルの前記縦方向外側へ延出して前記前後ウエストパネルに接合され、前記前後端縁部の間の中間部分が前記クロッチパネルに接合されることを特徴とする。
【発明の効果】
【０００８】
本発明に係る使い捨て着用物品は、クロッチパネルの縦方向における寸法を吸収体のそれよりも小さくして、前後ウエストパネルに重なるクロッチパネルの面積を小さくすることにしたので、前後ウエストパネルにおける通気性を確保することができる。
【図面の簡単な説明】
【０００９】
【図１】本発明に係る使い捨て着用物品の一例として示す使い捨ておむつの斜視図。
【図２】各弾性体の最大伸長時まで縦方向および横方向に伸展したおむつの一部破断展開平面図。
【図３】おむつの分解斜視図。
【図４】図２のＩＶ−ＩＶ線断面図。
【図５】図２のＶ−Ｖ線断面の拡大図。
【図６】図５と同様の図であって、着用時における説明図。
【図７】図２のＶＩＩ−ＶＩＩ線断面の拡大図。
【図８】図７と同様の図であって、着用時における説明図。
【発明を実施するための形態】
【００１０】
図１を参照すると、本発明に係る使い捨て着用物品の一例である使い捨ておむつ１は、縦方向Ｙおよび横方向Ｘとを有し、肌対向面およびその反対側に位置する非肌対向面と、前ウエスト域１２および後ウエスト域１３と、前後ウエスト域１２，１３間に位置するクロッチ域１４と、前後ウエスト域１２，１３を画定する弾性の前後ウエストパネル２０，３０と、クロッチ域１４を画定し前後ウエストパネル２０，３０の肌対向面側に取り付けられたクロッチパネル４０と、クロッチパネル４０の内側に配置され縦方向Ｙへ延びる吸収体５０とを含む。
【００１１】
前後ウエストパネル２０，３０は、それぞれ内端縁２０Ａ，３０Ａと、外端縁２０Ｂ，３０Ｂと、両側縁２０Ｃ，３０Ｃとによって画定される。両側縁２０Ｃおよび３０Ｃが、互いに重ね合わされて、縦方向Ｙへ断続的に並ぶシーム部１５において公知の手段、例えば、熱エンボス／デボス加工、ソニック加工などによる熱溶着手段によって連結され、環状の弾性ウエストパネルを形成するとともに、ウエスト開口１６と一対のレッグ開口１７とが画定される。
【００１２】
図２〜４を参照すると、おむつ１は、横方向Ｘの寸法を二等分する仮想縦中心線２−２と、縦方向Ｙの寸法を二等分する仮想横中心線３−３とを有し、仮想縦中心線２−２にほぼ対称である。前後ウエストパネル２０，３０は、それぞれ、肌対向面側に位置する内層シート２１，３１と、非肌対向面側に位置する外層シート２２，３２とを有する。外層シート２２，３２は内層シート２１，３１よりも縦方向Ｙの幅寸法が大きく、内層シート２１，３１の内外端縁部からさらに縦方向Ｙの外側にそれぞれ延出する。内層シート２１，３１と外層シート２２，３２とは、少なくとも一方の内面に塗布されたホットメルト接着剤または公知の熱溶着手段によって接着される。
【００１３】
外層シート２２，３２には、質量約１０〜３０ｇ／ｍ２のＳＭＳ（スパンボンド・メルトブローン・スパンボンド）繊維不織布、スパンボンド繊維不織布、エアスルー繊維不織布、プラスチックシート、または、前記いずれかの繊維不織布とプラスチックシートとのラミネートシートなどを用いることができる。
【００１４】
内層シート２１，３１には、弾性繊維不織布を用いることができ、例えば、スパンボンド繊維不織布、メルトブローン繊維不織布、ヒートロール繊維不織布、ＳＭＳ繊維不織布、エアレイド繊維不織布およびエアスルー繊維不織布など公知の弾性を有する繊維不織布を単独またはそれらを組み合わせたものから形成することができる。弾性不織布は、例えば、ポリエチレン系、ポリウレタン系等からなるエラストマー樹脂、ポリエチレン、ポリプロピレン、ポリエステル、アクリル等からなる熱可塑性樹脂などから形成することができる。内層シート２１，３１としては、非弾性繊維不織布を用いることもできる。
【００１５】
外層シート２２，３２は、内層シート２１，３１の外端縁部からさらに縦方向Ｙの外側へ延出し、縦方向Ｙ内側へ向かって折り返される折曲部位２２Ａ，３２Ａと、内層シート２１，３１の内端縁部から仮想横中心線３−３へ向かって延出する延出部位２２Ｂ，３２Ｂとを有する。折曲部位２２Ａ，３２Ａ内には、複数条のストランド状又はストリング状の第１および第２弾性体２４，３４がホットメルト接着剤を介して伸長下に収縮可能に固定される。第１および第２弾性体２４，３４は、横方向Ｘにおいてそのほぼ全域に延びる。第１および第２弾性体２４，３４を配置することによって、特に、おむつ１のウエスト開口１６を着用者に密着させることができ、ウエストからの尿等の排泄物の漏れを予防することができる。
【００１６】
延出部位２２Ｂ，３２Ｂには、繊維不織布から形成された細長状の固定シート２５，３５が配置され、固定シート２５，３５と延出部位２２Ｂ，３２Ｂとの間において、ストランド状又はストリング状の第３および第４弾性体２６，３６がホットメルト接着剤を介して伸長下に収縮可能に固定される。第３および第４弾性体２６，３６は、仮想縦中心線２−２近傍では非連続であって、非弾性域を形成する。非弾性域を形成する方法としては、例えば、外層シート２２，３２の中央部分に接着剤を塗布せず、その両側にのみ接着剤を塗布し、接着剤を塗布した領域と塗布しない領域にわたって一連の第３および第４弾性体２６，３６を伸長下で供給して接着剤の塗布域に固定し、その状態において接着剤の非塗布領域に位置する第３および第４弾性体２６，３６を切断することによって、第３および第４弾性体２６，３６の長さ方向内端部が収縮（スナップバック）して、非弾性域を形成することができる。また、例えば、非弾性域に位置すべき第３および第４弾性体２６，３６を伸長させないことによって非弾性域を形成することもできる。また、例えば、非弾性域に位置し伸長している第３および第４弾性体２６，３６の収縮性を喪失または抑制させることで、非弾性域を形成することもできる。非弾性域を形成することによって、仮想縦中心線２−２上に配置された吸収体５０に皺が生じるのを予防することができ、かつ、第３および第４弾性体２６，３６の収縮力によって、レッグ開口１７を着用者に密着させ、尿等の漏れを防止することができる。
第１〜第４弾性体には、例えば、太さ約３１０〜９４０ｄｔｅｘ、伸長倍率２．０〜３．５倍の弾性糸を用いることができる。
【００１７】
前後ウエストパネル２０，３０は、第３および第４弾性体２６，３６が配置された内側領域６１，６２と、第１および第２弾性体２４，３４が配置された外側領域６３，６４と、これら領域の間である中間領域６５，６６とを有する。内側領域６１，６２の縦方向Ｙにおける寸法は前後ウエストパネル２０，３０のそれの約１０〜４０％であり、この実施形態では約２７．３％（約３０ｍｍ）である。
【００１８】
内層シート２１，３１と外層シート２２，３２との間には、前後ウエスト域１２，１３の横方向Ｘの中央部において、プラスチック材料から形成されたグラフィック表示フィルム２３，３３が配置される。グラフィック表示フィルム２３，３３には、非肌対向面に外部から視認可能なグラフィック（図示せず）などが印刷される。
【００１９】
クロッチパネル４０は、横方向Ｘへ延びるとともに前後ウエストパネル２０，３０に重なる前後端縁部４０Ａ，４０Ｂと、縦方向Ｙへ延びる両側縁部４０Ｃとを有し、前後端縁部４０Ａ，４０Ｂは、前後ウエストパネル２０，３０の内側領域６１，６２に重なってそれぞれ接合される。したがって、クロッチパネル４０は、前後ウエストパネル２０，３０の縦方向Ｙにおける寸法の約１０〜４０％の範囲において重なる。
【００２０】
クロッチパネル４０は、横方向Ｘの中央部に位置するベースシート４１と、ベースシート４１の両側部に固定された一対のレッグ弾性化シート４２とを有する。前後端縁部４０Ａ，４０Ｂは、ベースシート４１およびレッグ弾性化シート４２の前後端縁部によって構成され、両側縁部４０Ｃはレッグ弾性化シート４２の外側縁部４２Ｃによって構成される。
【００２１】
ベースシート４１は、肌対向面側に位置する内面シート４３と、非肌対向面側に位置する外面シート４４とから構成される。内外面シート４３，４４には、各種公知の繊維不織布またはプラスチックフィルムを用いることができるが、内面シート４３は、防漏性のプラスチックフィルムから形成することが好ましく、外面シート４４は、おむつ１０の外面の一部を構成するので、プラスチックフィルムに比して肌触りの良い繊維不織布から形成することが好ましい。レッグ弾性化シート４２は、その内側縁部が内外面シート４３，４４の間に固定される。
【００２２】
レッグ弾性化シート４２は、外側縁部４２Ｃにおいて横方向Ｘへ折り返された折曲部位４５を有し、折曲部位４５によって形成されたスリーブ内部に縦方向Ｙへ延びる複数条のストランド状又はストリング状の弾性体４６が固定される。弾性体４６は、太さ約３１０〜６２０ｄｔｅｘ、伸長倍率約２．０〜３．０倍の弾性糸を用いることができ、ホットメルト接着剤を介して伸長下に収縮可能に固定される。弾性体４６は、最も仮想縦中心線２−２に近接し、すなわち、横方向Ｘ内側に位置する内側弾性体４６Ａと、最も横方向Ｘ外側に位置する外側弾性体４６Ｂと、これらの間に位置する中間弾性体４６Ｃとを有する。この実施形態において、内側弾性体４６Ａおよび外側弾性体４６Ｂは各１本、中間弾性体４６Ｃとして４本の弾性糸を用いる。外側弾性体４６Ｂは、レッグ弾性化シート４２の外側縁部４２Ｃに位置し、折曲部位４５は外側弾性体４６Ｂに沿って折り曲げられる。
【００２３】
内側弾性体４６Ａは、外側弾性体４６Ｂおよび中間弾性体４６Ｃよりも伸張応力が大きい。例えば、内側弾性体４６Ａとして太さ約４７０ｄｔｅｘ、伸長倍率約２．４５倍の弾性糸を用い、外側弾性体４６Ｂおよび中間弾性体４６Ｃとして太さ約３１０ｄｔｅｘ、伸長倍率約２．４５倍の弾性糸を用いることができる。
【００２４】
レッグ弾性化シート４２の内側弾性体４６Ａの伸張応力が、外側弾性体４６Ｂおよび中間弾性体４６Ｃよりも大きいので、クロッチパネル４０が吸収体５０により近い位置で着用者に密着することができ、排泄物がもれるのを予防することができる。また、外側弾性体４６Ｂおよび中間弾性体４６Ｃの伸張応力を相対的に小さくしたので、レッグ弾性化シート４２が内側に入り込むのを防ぎ、かつ、レッグ弾性化シート４２を着用者の脚の付け根に密着させることができる。
【００２５】
前ウエストパネル２０において、内側弾性体４６Ａ、外側弾性体４６Ｂおよび中間弾性体４６Ｃの全てに、横方向Ｘへ延びる第３弾性体２６が交差する。したがって、第３弾性体２６の収縮力によって吸収体５０が着用者の身体にフィットし、着用者の大腿部の動きによっても体液の漏れを誘発するような隙間が身体と吸収体５０との間に形成されるおそれはない。後ウエストパネル３０において、横方向Ｘへ延びる第４弾性体３６は、外側弾性体４６Ｂおよび中間弾性体４６Ｃの一部に交差し、その余の中間弾性体４６Ｃおよび内側弾性体４６Ａには交差しない。したがって、後ウエスト域１３において、その収縮力が吸収体５０に作用して体液の漏れの原因となるようなひび割れや皺を生じさせるおそれはない。
【００２６】
ここで、本発明において、弾性体４６と第３および第４弾性体２６，３６とが「交差する」とは、第３および第４弾性体２６，３６が伸縮可能な状態で固定された固定シート２５，３５と、弾性体４６が伸縮可能な状態で固定されたレッグ弾性化シート４２とが互いに接合されることによって、弾性体４６の有効伸長部分と第３および第４弾性体２６，３６の有効伸長部分とが実質的に連動する状態にあることを意味する。
【００２７】
クロッチパネル４０のベースシート４１の肌対向面には、吸液性の吸収体５０が配置される。吸収体５０は、縦長のパッド形状を有し、前後端縁部５０Ａ，５０Ｂと、両側縁部５０Ｃと、少なくともクロッチ域１４において縦方向Ｙへ延びる吸収性コア５１と、吸収性コア５１の吸収面に位置する身体側ライナ５２とを含む。前端縁部５０Ａは、ホットメルト接着剤を介して前ウエストパネル２０の内層シート２１に固定される。後端縁部５０Ｂは、ホットメルト接着剤を介して後ウエストパネル３０の内層シート３１と外層シート３２との間、より詳細には内層シート３１と固定シート３５との間に固定される。前後端縁部５０Ａ，５０Ｂの中間部はホットメルト接着剤を介してクロッチパネル４０の内面シート４３に固定される。吸収体５０の前端縁部５０Ａの近傍が内層シート２１の肌対向面に固定されることによって、着用者の肌には、伸縮弾性を有する比較的に柔軟な内層シート２１が直接触れるので、肌触りが向上する。また、後端縁部５０Ｂの近傍が内層シート３１と外層シート３２との間に固定されることから、排泄された体液が拡散してクロッチ域１４から後ウエスト域１３に位置する吸収体５０まで拡散しても、体液が直接着用者の肌に触れるのを防止することができる。
【００２８】
吸収性コア５１は、質量約２００〜８００ｇ／ｍ２であって、フラッフパルプと、超吸収性ポリマー粒子（ＳＡＰ）と、オプションとして含まれる熱溶着性ステープル繊維との混合から形成された芯材と、芯材を被包する液透過性の繊維不織布とから構成される。身体側ライナ５２には、質量約１０〜３０ｇ／ｍ２の透液性のスパンボンド不織布やＳＭＳ不織布等の各種公知の繊維不織布を用いることができる。
【００２９】
特に図２を参照すると、クロッチパネル４０の縦方向Ｙにおける寸法Ｌ１は、吸収体５０の寸法Ｌ２よりも小さく、吸収体５０の前後端縁部５０Ａ，５０Ｂは、クロッチパネル４０の前後端縁部４０Ａ，４０Ｂよりも縦方向Ｙ外側に位置する。クロッチパネル４０の縦方向Ｙにおける寸法が小さいことによって、前後ウエストパネル２０，３０に重なるクロッチパネル４０の面積が小さくなり、その分、前後ウエストパネル２０，３０の通気性を確保することができる。この実施形態では、クロッチパネル４０の縦方向における寸法Ｌ１は約２９６ｍｍ、吸収体５０の寸法Ｌ２は約３３０ｍｍである。
【００３０】
クロッチパネル４０の横方向Ｘにおける寸法Ｗ１は、吸収体５０の寸法Ｗ２よりも大きく、クロッチパネル４０の両側縁部４０Ｃは、吸収体５０の両側縁部５０Ｃよりも横方向Ｘ外側に延出する。吸収体５０の横方向Ｘ外側に延出するのは、クロッチパネル４０のレッグ弾性化シート４２であり、これらシートが柔軟に着用者に密着することができる。この実施形態において、クロッチパネル４０の横方向における寸法Ｗ１は約２１０ｍｍ、吸収体５０の寸法Ｗ２は約１１５ｍｍである。
【００３１】
吸収体５０は、吸収性コア５１の縦方向Ｙの寸法よりも身体側ライナ５２の寸法が大きく、身体側ライナ５２の前後端縁部５２Ａ，５２Ｂが吸収性コア５１の前後端縁部５１Ａ，５１Ｂの縦方向Ｙ外側に延出する。身体側ライナの前後端縁部５２Ａ，５２Ｂが吸収体５０の前後端縁部５０Ａ，５０Ｂと一致する。吸収性コア５１の前端縁部５１Ａは、前ウエストパネル２０の中間領域６５に位置する。換言すれば、前端縁部５１Ａはクロッチパネル４０の前端縁部４０Ａよりも縦方向Ｙ外側に位置する。おむつ１の着用時において、排尿器官は仮想横中心線３−３よりも前ウエスト域１２側に位置するから、吸収性コア５１を前方側へと偏倚させることで尿を効率よく吸収し、尿がおむつ１外に漏れるのを予防することができる。吸収性コア５１の後端縁部５１Ｂは、後ウエストパネル３０の内側領域６２に位置する。換言すれば、後端縁部５１Ｂは、クロッチパネル４０の後端縁部４０Ｂよりも縦方向Ｙ内側に位置する。したがって、後端縁部５１Ｂを第４弾性体３６および弾性体４６によって、着用者の肌へと密着させることができ、特に、後ウエスト域１３からの便等の排泄物の漏れを予防することができる。
【００３２】
前後ウエストパネル２０，３０において、クロッチパネル４０は、内側領域６１，６２にのみに重なり、中間領域６５，６６および外側領域６３，６４には重ならない。したがって、おむつ１の着用時において着用者の足がクロッチパネル４０に引っ掛かり難くすることができる。仮に、クロッチパネル４０が、中間領域６５，６６または外側領域６３，６４にまで延びている場合には、前後端縁部４０Ａ，４０Ｂまたは側縁部４０Ｃが着用者の足の指に引っ掛かりやすく、着用しにくくなる可能性がある。
また、クロッチパネル４０が内側領域６１，６２に接合されることによって、その前後端縁部４０Ａ，４０Ｂを第３および第４弾性体２６，３６の収縮力によって着用者の身体に密着させることができる。したがって、前後端縁部４０Ａ，４０Ｂが浮き上がって着用者の肌に刺激を与えるのを抑制することができる。
【００３３】
図５を参照すると、前ウエストパネル２０の内側領域６１では、吸収体５０の両側縁部５０Ｃ外側には、クロッチパネル４０のレッグ弾性化シート４２が存在する。図６を参照すると、おむつ１の着用時において、レッグ弾性化シート４２が弾性体４６の収縮力によって着用者の身体Ｈに密着する。したがって、吸収体５０の両側縁部５０Ｃの横方向Ｘ外側において、着用者の身体Ｈとおむつ１の肌対向面との間における空隙５３はほとんど形成されないか、小さなものである。
【００３４】
図７を参照すると、前ウエストパネル２０の中間領域６５では、クロッチパネル４０が重ならないから、吸収体５０の両側縁部５０Ｃの横方向Ｘ外側には、レッグ弾性化シート４２が存在しない。図８を参照すると、おむつ１の着用時において、前ウエストパネル２０の中間領域６５では、吸収体５０両側縁部５０Ｃの横方向Ｘ外側であって、着用者の身体Ｈとおむつ１の肌対向面との間には、図６の内側領域６１に比べて大きな空隙５３が形成される。空隙５３は、吸収性コア５１が他のシート等の構成要素に比べて厚いから、身体側ライナ５２が着用者の身体Ｈに接触したときに、前ウエストパネル２０と身体Ｈとの間に形成されるものである。着用者の身体Ｈとおむつ１との間に空隙５３が形成されることによって、おむつ１内の通気性を向上させることができる。特に、空隙５３は、体液の吸収によって湿度が高くなりやすい吸収体５０の両側に形成されるので、より効率的におむつ１内の蒸れを抑制することができる。
【００３５】
この実施形態において、吸収体５０は、後ウエストパネル３０では内側領域６２にのみ延在するが、中間領域６６および外側領域６４にまで延在するようにしてもよい。その場合には、後ウエストパネル３０にも、前ウエストパネル２０の空隙５３と同様の空隙が形成される。
【００３６】
また、前後ウエストパネル２０，３０において、中間領域６５，６６の肌対向面に内層シート２１，３１がそれぞれ配置される。中間領域６５，６６にはクロッチパネル４０が重ならないから、おむつ１の着用時には、中間領域６５，６６においては、内層シート２１，３１が着用者の肌に直接接触する。すなわち、クロッチパネル４０が中間領域６５，６６に重なって着用者の肌に接触する場合に比べて、内層シート２１，３１が、より広い範囲で着用者の肌に接触する。内層シート２１，３１は、弾性繊維不織布によって構成されているから、おむつ１の前後ウエスト域１２，１３を広い範囲で着用者の肌に密着させることができるとともに、肌触りを向上させることもできる。
【００３７】
使い捨ておむつ１を構成する各構成部材には、特に明記されていない限りにおいて、本明細書に記載されている材料のほかに、この種の分野において通常用いられている、各種公知の材料を制限なく用いることができる。また、本明細書および特許請求の範囲において使用されている「第１」、「第２」、「第３」及び「第４」の用語は、同様の要素、位置等を単に区別するために用いられている。
【００３８】
以上に記載したこの発明に関する開示は、少なくとも下記事項に要約することができる。
使い捨て着用物品１は、縦方向Ｙおよびそれに直交する横方向Ｘを有し、肌対向面およびその反対側に位置する非肌対向面と、前後ウエスト域１２，１３を画定する前後ウエストパネル２０，３０と、前記前後ウエスト域１２，１３の間に位置するクロッチ域１４を画定するクロッチパネル４０と、少なくとも前記クロッチパネル４０の前記肌対向面に配置され前記縦方向Ｙへ延びる吸収体５０とを含む。
【００３９】
この発明は、上記使い捨て着用物品１において、以下の点を含むことを特徴とする。
前記クロッチパネル４０は、前記横方向Ｘへ延びる前後端縁部４０Ａ，４０Ｂと、前記縦方向Ｙへ延びる両側縁部４０Ｃとを有し、前記前後端縁部４０Ａ，４０Ｂが、前記前後ウエストパネル２０，３０の前記肌対向面にそれぞれ接合される。
前記クロッチパネル４０の前記縦方向Ｙにおける寸法Ｌ１は、前記吸収体５０の前記縦方向Ｙにおける寸法Ｌ２よりも小さい。
【００４０】
上記の発明は、少なくとも下記の実施の形態を含むことができる。
（１）前記クロッチパネル４０は、前記横方向Ｘにおける寸法Ｗ１が、前記吸収体５０の前記横方向Ｘにおける寸法Ｗ２よりも大きく、前記クロッチパネル４０の前記両側縁部４０Ｃが前記吸収体５０の横方向Ｘ外側にそれぞれ延出する。
（２）前記前後ウエストパネル２０，３０は、前記横方向Ｘへ延びる第１および第２弾性体２４，３４が伸長下で収縮可能に取り付けられた外側領域６３，６４と、前記横方向Ｘへ延びる第３および第４弾性体２６，３６が伸長下で伸縮可能に取り付けられた内側領域６１，６２と、前記内側領域６１，６２と前記外側領域６３，６４との間に位置する中間領域６５，６６とをそれぞれ有する。
前記クロッチパネル４０の前記前後端縁部４０Ａ，４０Ｂは、前記前後ウエストパネル２０，３０の前記内側領域６１，６２にそれぞれ重なって接合される。
（３）前記クロッチパネル４０は、前記横方向Ｘ中央に位置するベースシート４１と、前記ベースシート４１の両側に位置し前記吸収体５０の前記横方向Ｘ外側へ延出するレッグ弾性化シート４２とを有する。
（４）前記レッグ弾性化シート４２には、前記縦方向Ｙへ延びる弾性体４６が伸長下で収縮可能に取り付けられる。
（５）前記吸収体５０は、前記横方向Ｘへ延びる前後端縁部５１Ａ，５１Ｂおよび前記縦方向Ｙへ延びる両側縁部５１Ｃを有する吸収性コア５１と、前記吸収性コア５１の吸収面に配置された身体側ライナ５２とを含む。
前記吸収性コア５１は、その前記後端縁部５１Ｂが、前記クロッチパネル４０の前記後端縁部４０Ｂよりも前記縦方向Ｙ内側に位置する。
（６）前記吸収性コア５１は、その前記前端縁部５１Ａが、前記クロッチパネル４０の前記前端縁部４０Ａよりも前記縦方向Ｙ外側に位置する。
（７）前記前後ウエストパネル２０，３０の前記中間領域６５，６６であって、その前記肌対向面には、弾性繊維不織布によって形成された内層シート２１，３１がそれぞれ配置される。
【符号の説明】
【００４１】
１    おむつ（使い捨て着用物品）
１２    前ウエスト域
１３    後ウエスト域
１４    クロッチ域
２０    前ウエストパネル
２１    内層シート
３０    後ウエストパネル
３１    内層シート
４０    クロッチパネル
４０Ａ  前端縁部
４０Ｂ  後端縁部
４０Ｃ  両側縁部
４１    ベースシート
４２    レッグ弾性化シート
４６    弾性体
５０    吸収体
５１    吸収性コア
５２    身体側ライナ
６１    内側領域
６２    内側領域
６３    外側領域
６４    外側領域
６５    中間領域
６６    中間領域
Ｘ    横方向
Ｙ    縦方向
【図１】
2014004258.tif 000003
【図２】
2014004258.tif 000004
【図３】
2014004258.tif 000005
【図４】
2014004258.tif 000006
【図５】
2014004258.tif 000007
【図６】
2014004258.tif 000008
【図７】
2014004258.tif 000009
【図８】
2014004258.tif 000010